(57)【特許請求の範囲】
【請求項１】
筒状に形成されるバレルと、バレルに固定される針とを備え、
バレルは、内部に挿入される針を固定する筒状の針固定部を先端部に備え、
針固定部は、熱可塑性を有し且つ針を溶着した溶着部を備える針付きバレルにおいて、
針固定部は、外周部の中途部であって、軸心方向において先端から離間し且つ軸心方向において基端から離間した中途部に凹部を有し、
溶着部は、前記凹部内の底部に設けられていることを特徴とする針付きバレル。
【請求項２】
針固定部は、針の外周部と当接することで針を径方向で支持する支持部を備え、
該支持部は、軸心方向において溶着部の両側の位置にそれぞれ配置される請求項１に記載の針付きバレル。
【請求項３】
針固定部は、先端部で且つ内周部に凹状部を備える請求項１又は２に記載の針付きバレル。
【請求項４】
請求項１〜３の何れか１項に記載の針付きバレルと、バレルの内部に充填された充填物を封止すべくバレルの内部に挿入される弾性のガスケットとを備えることを特徴とするプレフィルドシリンジ。
【発明の詳細な説明】
【技術分野】
【０００１】
本発明は、筒状に形成されるバレルに針が固定される針付きバレルと、該針付きバレルを備えるプレフィルドシリンジに関する。
【背景技術】
【０００２】
従来、針付きバレルとして、筒状に形成されるバレルに針が固定されている針付きバレルが知られている。そして、斯かる針付きバレルによれば、バレルの先端部には、内部に挿入される針を固定する筒状の針固定部が設けられ、熱可塑性を有する針固定部の先端が加熱されることで、バレルに針が溶着されている（例えば、特許文献１）。
【先行技術文献】
【特許文献】
【０００３】
【特許文献１】特開２００４−２４９０７３号公報
【発明の概要】
【発明が解決しようとする課題】
【０００４】
ところで、特許文献１に係る針付きバレルにおいては、バレルに針を溶着させるのに、熱可塑性を有する針固定部の先端が加熱されるため、針固定部の先端が変形する。このときに、バリ（加工過程で縁等に形成される突起）等が針固定部の先端に形成される場合がある。そして、バリ等が針固定部の先端に形成されると、例えば、皮下注射用注射器や皮内注射用注射器のように短い針が使用される際には、針固定部の先端が肌に接触され易いため、バレルが注射を受ける者に嫌悪感を与える場合もある。
【０００５】
よって、本発明は、斯かる事情に鑑み、バレルに針を溶着させる際に、針固定部の先端にバリ等が形成されるのを防止できる針付きバレル及びプレフィルドシリンジを提供することを課題とする。
【課題を解決するための手段】
【０００６】
本発明に係る針付きバレルは、筒状に形成されるバレルと、バレルに固定される針とを備え、バレルは、内部に挿入される針を固定する筒状の針固定部を先端部に備え、針固定部は、熱可塑性を有し且つ針を溶着した溶着部を備える針付きバレルにおいて、針固定部は、外周部の中途部であって、軸心方向において先端から離間し且つ軸心方向において基端から離間した中途部に凹部を有し、溶着部は、前記凹部内の底部に設けられていることを特徴とする。
【０００７】
本発明に係る針付きバレルによれば、溶着部は、熱可塑性を有すると共に、加熱されることで針を溶着する。そして、溶着部が、軸心方向において針固定部の先端から離間した位置に配置されているため、針固定部の先端に、バリ等が形成されるのを防止することができる。
斯かる構成の針付きバレルによれば、溶着部を含む部位が凹状となるように、バレルが形成されている。したがって、例えば、注射を受ける者の肌には、溶着部を含む凹状の部位よりも、その周りの部位の方が接触し易くなるため、注射を受ける者の肌に、溶着部が接触するのを抑制できる。
【００１０】
また、本発明に係る針付きバレルにおいては、針固定部は、針の外周部と当接することで針を径方向で支持する支持部を備え、該支持部は、軸心方向において溶着部の両側の位置にそれぞれ配置されてもよい。
【００１１】
斯かる構成の針付きバレルによれば、針固定部に設けられる支持部は、針の外周部と当接することで針を径方向で支持する。そして、溶着部が軸心方向において針固定部の先端だけでなく基端からも離間した位置に配置されているのに対して、支持部は、軸心方向において溶着部の両側の位置にそれぞれ配置されている。したがって、針固定部における溶着部となる部位が加熱されて溶融する際に、支持部が溶着部の両側の位置で針を支持するため、針が針固定部に対して位置ズレするのを防止できる。
【００１２】
また、本発明に係る針付きバレルにおいては、針固定部は、先端部で且つ内周部に凹状部を備えてもよい。
【００１３】
斯かる構成の針付きバレルによれば、針固定部の先端部で且つ内周部に、凹状部が設けられている。これにより、針が針固定部の先端側から針固定部の内部に挿入される際に、凹状部が針固定部の内部に針を案内するため、針固定部の内部に針を確実に挿入することができる。
【００１４】
さらに、例えば、一般的に、針固定部から露出している針の外周部に、シリコン等の表面処理材が塗布されている。そして、針の先端側を上方に向けた状態で、表面処理材が硬化する際に、表面処理材が針固定部の先端に向けて流れた（垂れた）場合であっても、凹状部が表面処理材を収容できるため、針固定部の外周部に表面処理材が付着するのを防止できる。
【００１５】
また、本発明に係るプレフィルドシリンジは、前記の針付きバレルと、バレルの内部に充填された充填物を封止すべくバレルの内部に挿入される弾性のガスケットとを備えることを特徴とする。
【発明の効果】
【００１６】
以上の如く、本発明に係る針付きバレル及びプレフィルドシリンジによれば、バレルに針を溶着させる際に、針固定部の先端にバリ等が形成されるのを防止できるという優れた効果を奏する。
【図面の簡単な説明】
【００１７】
【図１】本発明の一実施形態に係るプレフィルドシリンジの全体図であって、（ａ）は正面図、（ｂ）はＡ−Ａ線における断面図を示す。
【図２】同実施形態に係るプレフィルドシリンジの要部断面図であって、図１のＢ領域における拡大図を示す。
【図３】同実施形態に係るプレフィルドシリンジの要部断面図であって、（ａ）は図２のＣ領域における拡大図、（ｂ）は図２のＤ領域における拡大図、（ｃ）はＥ−Ｅ線における断面図を示す。
【図４】同実施形態に係る針付きバレルの製造方法を説明する図であって、（ａ）及び（ｂ）はそれぞれ要部縦断面図を示す。
【図５】同実施形態に係る針付きバレルの製造方法を説明する図であって、（ａ）は要部縦断面図、（ｂ）は要部正面図を示す。
【図６】本発明の他の実施形態に係る針付きバレルの要部図であって、（ａ）は正面図、（ｂ）は縦断面図を示す。
【図７】本発明のさらに他の実施形態に係る針付きバレルの要部断面図であって、（ａ）は縦断面図、（ｂ）はＦ領域における拡大図、（ｃ）はＧ−Ｇ線における断面図を示す。
【発明を実施するための形態】
【００１８】
以下、本発明に係るプレフィルドシリンジにおける一実施形態について、図１〜図５を参酌して説明する。
【００１９】
本実施形態に係るプレフィルドシリンジは、図１〜図３に示すように、内部に充填物Ｘが充填される筒状のバレル１と、バレル１の内部の充填物Ｘを外部に注出すべく、バレル１の先端部に固定される針２とを備える。また、プレフィルドシリンジは、針２を覆うべく、バレル１の先端部に装着されるキャップ３を備える。
【００２０】
さらに、プレフィルドシリンジは、バレル１の内部に充填された薬液等の充填物Ｘを封止するプランジャ８を備える。そして、プランジャ８は、バレル１の内部に挿入されて充填物Ｘを封止する弾性のガスケット８１と、先端部がガスケット８１とネジ結合されるプランジャロッド８２とを備える。
【００２１】
なお、バレル１に針２が固定された構造体を、「針付きバレル」といい、針付きバレル（バレル１及び針２）とプランジャ８との組立体とを、「シリンジ」という。また、図１の「上方（側）」を「先端（側）」又は「一方（側）」とし、図１の「下方（側）」を「基端（側）」又は「他方（側）」として、以下説明する。
【００２２】
バレル１は、筒状に形成されるバレル本体１１と、先端部に配置され、内部に挿入される針２を固定する筒状の針固定部１２と、先端部に配置され、キャップ３と係合する筒状の係合部１３とを備える。また、バレル１は、剛性を有するように形成されていると共に、熱可塑性を有する材質で形成されており、例えば、ＣＯＰ（シクロオレフィンポリマー）、ＣＯＣ（シクロオレフィンコポリマー）、ＰＰ（ポリプロピレン）、又はＰＥ（ポリエチレン）といった樹脂やガラス等で形成されている。
【００２３】
バレル本体１１は、先端部に、キャップ３の基端部と当接する当接部１１１を備える。また、バレル本体１１は、基端部に、指が掛けられるフランジ形状の指掛部１１２を備える。そして、バレル本体１１は、外径が針固定部１２の外径よりも大きく且つ係合部１３の外径よりも大きくなるように形成されている。
【００２４】
針固定部１２は、バレル本体１１の先端部から突出する円筒状の固定部本体１２１と、固定部本体１２１の内周部から径方向内方に突出し、針２の外周部と当接することで針２を径方向で支持する支持部１２２とを備える。また、針固定部１２は、熱可塑性を有し且つ加熱されることで針２を溶着する溶着部（図２及び図３において、ドット領域にて図示しており、図５〜図７においても同様）１２ａと、加熱されずに針２と溶着しない非溶着部（非加熱部）１２ｂ，１２ｂとを備える。
【００２５】
固定部本体１２１は、先端部で且つ内周部に、凹状部１２１ａを備える。そして、凹状部１２１ａは、先端に向けて徐々に開口が拡がるようにテーパ状に形成されている。また、支持部１２２は、周方向に沿って環状に延設されている。そして、支持部１２２は、針固定部１２の基端部に配置されている。したがって、支持部１２２は、溶着部１２ａより基端側の非溶着部１２ｂである。
【００２６】
係合部１３は、円筒状に形成されていると共に、バレル本体１１の先端部から突設されている。そして、係合部１３は、内部に針固定部１２が挿入されており、針固定部１２の基端側を収容している。また、係合部１３は、内径が針固定部１２の外径よりも大きくなるように形成されている。
【００２７】
溶着部１２ａは、軸心方向において、針固定部１２の先端から離間した位置で且つ基端からも離間した位置に配置されている。具体的には、溶着部１２ａは、針固定部１２における軸心方向の中途部に配置されている。これにより、非溶着部１２ｂ，１２ｂは、溶着部１２ａの先端側と基端側とにそれぞれ配置されている。
【００２８】
そして、溶着部１２ａは、周方向に亘って連続的に配置されている。また、溶着部１２ａは、外径が軸心方向で隣接する各非溶着部１２ｂの外径よりも小さくなるように形成されている。即ち、溶着部１２ａは、針固定部１２の外周部が凹状となるように形成されている。
【００２９】
また、バレル１全体としては、溶着部１２ａを含む部位は、先端側に配置される非溶着部１２ｂと、基端側に配置される係合部１３との間に配置されることで、凹状に形成されている。具体的には、基端側の非溶着部１２ｂのうち係合部１３から突出している先端部と、溶着部１２ａとは、先端側に配置される非溶着部１２ｂと、基端側に配置される係合部１３との間に配置されることで、凹状に形成されている。
【００３０】
針２は、溶着部１２ａに溶着される外周部に凹凸部２１を備えている。具体的には、針２は、軸心方向の中途部に凹凸部２１を備えている。そして、針２は、充填物Ｘが内部を流通するように筒状に形成されていると共に、先端部が先鋭となるように形成されている。また、針２は、剛性を有するように形成され、例えば、ステンレス鋼といった金属で形成されている。
【００３１】
キャップ３は、バレル１の針固定部１２、バレル１の係合部１３、及び針２を収容すべく筒状に形成されていると共に、先端側が閉塞され且つ基端側が開放されるように形成されている。そして、キャップ３は、基端部が係合部１３を外側から嵌合するように係合すると共に、基端部がバレル１の当接部１１１と当接することで、バレル１に装着される。
【００３２】
また、キャップ３は、外径がバレル本体１１の外径と同じ、又は、外径がバレル本体１の外径より小さくなるように形成されている。なお、キャップ３は、弾性を有するように形成され、例えば、ゴム等の樹脂で形成されている。
【００３３】
本実施形態に係るプレフィルドシリンジの構成については以上の通りであり、次に、本実施形態に係るプレフィルドシリンジの製造方法について説明する。
【００３４】
まず、滑らかに形成されている針２の外周部に、細かな粒体を衝突させる、所謂、サンドブラスト加工を行うことで、針２の外周部に凹凸部２１が形成される。そして、図４（ａ）に示すように、バレル１の先端側が上方となるように、バレル１を配置させると共に、針固定部１２の軸心と針２の軸心とが一致するように、バレル１と針２とを配置させた後に、針２を針固定部１２の内部に挿入させる。このとき、針固定部１２の固定部本体１２１の凹状部１２１ａが針２を固定部本体１２１の内部に向けて案内する。
【００３５】
すると、図４（ｂ）に示すように、針２の基端部が針固定部１２の支持部１２２に外側から嵌合されるため、針２の基端部が周方向において支持部１２２に支持される。斯かる状態においては、固定部本体１２１は、支持部１２２よりも先端側の位置、即ち、支持部１２２以外の部位で、針２と離間しており接触していない。
【００３６】
なお、針２の外径が支持部１２２の内径と同じに形成されており、針２の基端部が支持部１２２に外側から嵌合される構成でもよく、或いは、針２の外径が支持部１２２の内径よりも若干大きく形成されており、針２が支持部１２２の内部に挿入されるのに伴って、支持部１２２が針２に圧接されて塑性変形することで、針２の基端部が支持部１２２に外側から嵌合される構成でもよい。
【００３７】
斯かる状態においては、針２の先端側が把持手段（図示及び採番していない）に把持されることにより、針固定部１２の軸心と針２の軸心とが一致するように、バレル１と針２とが保持されている。そして、バーナー等の加熱手段（図示及び採番していない）が針固定部１２の軸心方向の中途部を加熱すると、針固定部１２の加熱された部位が溶融する。
【００３８】
その後、押圧手段（図示及び採番していない）が針固定部１２の溶融した部位を径方向内方に向けて押圧することで、図５に示すように、針固定部１２が変形して針２と当接する。このとき、針２の外周部に凹凸部２１が形成されているため、針固定部１２の溶融した部位が凹凸部２１に密着するように変形する。そして、針固定部１２の溶融した部位が冷却されると、斯かる部位、即ち、溶着部１２ａが針２を溶着する。
【００３９】
なお、針固定部１２を加熱する際には、加熱された部位が３００℃以上となるように、また、溶着部１２ａの軸心方向の長さが３〜８ｍｍとなるように、針固定部１２を加熱するのが好ましい。また、溶着部１２ａの肉厚が０．５〜１．２ｍｍとなるように、針固定部１２の肉厚を設定するのが好ましい。
【００４０】
その後、針２の滑り性を向上させるべく、針固定部１２から露出している針２の外周部に、シリコン等の表面処理材（図示及び採番していない）が塗布された後に、針２の先端側を上方に向けた状態で、表面処理材を乾燥させる。このとき、針２の外周部に塗布されている表面処理材が垂れた場合には、固定部本体１２の凹状部１２１ａが表面処理材を受け入れて収容する。以上により、針付きバレルが完成する。
【００４１】
そして、キャップ３をバレル１に装着した後に、バレル１の内部に、薬液等の充填物Ｘを充填し、さらに、ガスケット８１を基端部側からバレル１の内部に挿入した後に、プランジャロッド８２をガスケット８１に結合する。これにより、図１〜図３に示すようなプレフィルドシリンジが完成する。
【００４２】
以上より、本実施形態に係るプレフィルドシリンジによれば、熱可塑性を有し且つ加熱されることで針２を溶着する溶着部１２ａは、軸心方向において針固定部１２の先端から離間した位置に配置されているため、針固定部１２の先端にバリ等が形成されるのを防止できる。
【００４３】
これにより、例えば、針固定部１２に針２が溶着された後の製造工程において、針固定部１２の先端に、異物が付着するのを抑制できると共に、注射器として使用される際に、バレル１が注射を受ける者に嫌悪感を与えるのを抑制できる。また、溶着部１２ａが針２に隣接されていないため、例えば、溶着部１２ａにバリ等が形成され、仮に溶着部１２ａに異物が付着したとしても、針２に異物が付着するのを防止できる。
【００４４】
また、本実施形態に係るプレフィルドシリンジによれば、溶着部１２ａを含む部位は、先端側に配置される非溶着部１２ｂと、基端側に配置される係合部１３との間に配置されることで、凹状に形成されている。したがって、例えば、溶着部１２ａよりも、先端側の非溶着部１２ｂや係合部１３の方が、注射を受ける者の肌に接触し易くなるため、注射を受ける者の肌に、溶着部１２ａが接触するのを抑制できる。
【００４５】
また、本実施形態に係るプレフィルドシリンジによれば、溶着部１２ａが針２の外周部に形成されている凹凸部２１と密着している。したがって、針２の凹凸部２１が軸方向及び周方向で溶着部１２ａに係止されているため、針２が針固定部１２に確実に固定されている。
【００４６】
また、本実施形態に係るプレフィルドシリンジによれば、針固定部１２の先端部で且つ内周部に、凹状部１２１ａが設けられている。これにより、針２が針固定部１２の先端側から針固定部１２の内部に挿入される際に、凹状部１２１ａが針２を針固定部１２の内部に案内するため、針固定部１２の内部に針２を確実に挿入することができる。
【００４７】
また、本実施形態に係るプレフィルドシリンジによれば、針固定部１２から露出している針２の外周部に、表面処理材が塗布されている。そして、針２の先端側を上方に向けた状態で、表面処理材を乾燥させて硬化させる際に、表面処理材が針固定部１２の先端に向けて垂れた場合であっても、凹状部１２１ａが表面処理材を収容できるため、針固定部１２の外周部に表面処理材が付着するのを防止できる。
【００４８】
なお、本発明に係る針付きバレル及びプレフィルドシリンジは、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４９】
例えば、上記実施形態に係る針付きバレル及びプレフィルドシリンジにおいては、溶着部１２ａが周方向に亘って連続的に配置される構成を説明したが、斯かる構成に限られない。具体的には、溶着部は、周方向において部分的に配置される構成、例えば、周方向に亘って断続的に配置される構成でもよい。
【００５０】
また、上記実施形態に係る針付きバレル及びプレフィルドシリンジにおいては、溶着部１２ａが針固定部１２の軸心方向における中途部に配置される構成を説明したが、斯かる構成に限られない。例えば、溶着部は、針固定部の軸心方向における基端を含む部位に配置される構成でもよい。
【００５１】
また、上記実施形態に係る針付きバレル及びプレフィルドシリンジにおいては、キャップ３と係合するバレル１の係合部１３が溶着部１２ａよりも基端側に配置される構成を説明したが、斯かる構成に限られない。例えば、図６に示すように、バレル４は、溶着部４２ａよりも先端側に、キャップ３０と係合する係合部４３を備える構成でもよい。
【００５２】
図６に係るバレル４は、バレル本体４１の先端部から突設される針固定部４２の基端側に、溶着部４２ａを備える。即ち、バレル４は、軸心方向における溶着部４２ａの両側にそれぞれ非溶着部４２ｂ，４２ｂを備える。
【００５３】
係合部４３は、円筒状に形成されている。そして、係合部４３は、内部に針固定部４２が挿入されており、針固定部４２の先端側を収容している。また、係合部４３は、内径が針固定部４２の外径よりも大きくなるように形成されている。さらに、係合部４３は、溶着部４２ａよりも軸心方向の先端側に配置されている。
【００５４】
斯かる構成によれば、溶着部４２ａを含む部位（具体的には、基端側の非溶着部４２ｂ、溶着部４２ａ、及び先端側の非溶着部４２ｂの基端部）は、先端側に配置される係合部４３と、基端側に配置されるバレル本体４１との間に配置されることで、凹状に形成されている。したがって、例えば、溶着部４２ａよりも、係合部４３の外周部やバレル本体４１の先端側の方が注射を受ける者の肌に接触され易くなるため、注射を受ける者の肌に、溶着部４２ａが接触するのを抑制できる。
【００５５】
また、上記実施形態に係る針付きバレル及びプレフィルドシリンジにおいては、支持部１２２が周方向に沿って連続した環状に延設される構成を説明したが、斯かる構成に限られない。例えば、図７に示すように、支持部５２２は、周方向に沿って断続的な環状、即ち、円弧状に延設される構成でもよい。
【００５６】
また、上記実施形態に係る針付きバレル及びプレフィルドシリンジにおいては、支持部１２２が針固定部１２の基端部に配置され、支持部１２２が溶着部１２ａの基端側のみに配置される構成を説明したが、斯かる構成に限られない。例えば、支持部は、軸心方向において溶着部の先端側のみに配置される構成でもよく、また、図７に示すように、支持部５２２，５２２は、軸心方向において中途部に配置される溶着部５２ａの先端側及び基端側の両側の位置にそれぞれ配置される構成でもよい。
【００５７】
図７に係るバレル５は、バレル本体５１の先端部から突設される針固定部５２の固定部本体５２１の内周部から、径方向内方に突出する支持部５２２，５２２を備える。そして、各支持部５２２は、固定部本体５２１の内周部から径方向に突出する複数（図７においては三つ）の支持片５２２ａ，…を備える。
【００５８】
各支持片５２２ａは、軸心方向に沿って直線状に延設されている。さらに、複数の支持片５２２ａ，…は、周方向に沿って円弧状にそれぞれ延設されると共に、所定間隔を有して周方向に並列されている。なお、バレル５の溶着部５２ａに相当する部位が少なくとも溶融する前においては、当該部位にも、斯かる支持片５２２ａ，…と同じ構成の突起片が複数並列されている。
【００５９】
斯かる構成によれば、非溶着部５２ｂに配置される支持部５２２，５２２は、軸心方向において溶着部５２ａの両側の位置にそれぞれ配置されている。したがって、溶着部５２ａとなる部位が加熱されて溶融する際に、支持部５２２，５２２が溶着部５２ａの両側の位置で針２を支持するため、針２が針固定部５２に対して位置ズレするのを防止できる。さらには、上記実施形態のような針２の先端側を把持する把持手段を設ける必要がない。
【００６０】
また、支持部５２２の内径（各支持片５２２ａに内接する円の直径）が、針２の外径と同じ、或いは、針２の外径よりも小さく設定することにより、針２が針固定部５２に挿入されると、針２が支持部５２２に外側から嵌合される。したがって、針２が支持部５２２と接する、より好ましくは、針２が支持部５２２から径方向内方に向けて押圧（密接）されることにより、溶着部５２ａとなる部位を加熱するだけで、溶着部５２ａが針２を溶着できるため、上記実施形態のような斯かる部位を押圧する押圧手段を設ける必要がない。
【００６１】
また、上記実施形態に係る針付きバレル及びプレフィルドシリンジにおいては、針固定部１２の所定部位を加熱して溶融した後に、斯かる部位を径方向内方に向けて押圧する構成を説明したが、斯かる構成に限られない。例えば、バレルは、針固定部を加熱されることで、斯かる部位が熱収縮することにより、針２を溶着する構成でもよい。
【００６２】
また、上記実施形態に係る針付きバレル及びプレフィルドシリンジにおいては、針２の外周部に凹凸部２１が形成される構成を説明したが、斯かる構成に限られない。例えば、針の外周部に、凹凸部が形成されていない構成でもよく、また、凸部のみが形成される構成でもよく、さらには、凹部のみが形成される構成でもよい。
【００６３】
また、上記実施形態に係る針付きバレル及びプレフィルドシリンジにおいては、針２がバレル１に溶着された後に、針２の外周部に表面処理材が塗布される構成を説明したが、斯かる構成に限られない。例えば、針２の外周部に表面処理材が塗布された後に、針２が針固定部１２の内部に挿入され、その後、針２がバレル１に溶着される構成でもよい。
【００６４】
斯かる構成においては、バレル１に針２を溶着する際に、バレル１が加熱され、さらに、斯かる熱が針２に伝達され、針２の外周部に塗布されている表面処理材が溶融する場合がある。そして、針２の先端側を上方に向けた状態で、溶融した表面処理材が硬化する際に、表面処理材が針固定部１２の先端に向けて垂れた場合であっても、凹状部１２１ａが表面処理材を収容できるため、針固定部１２の外周部に表面処理材が付着するのを防止できる。
【００６５】
また、上記実施形態に係るプレフィルドシリンジにおいては、バレル１にプランジャ８（ガスケット８１及びプランジャロッド８２）が装着されている構成を説明したが、斯かる構成に限られない。例えば、プレフィルドシリンジは、バレル１の内部にガスケット８１だけが装着されている構成でもよい。
【符号の説明】
【００６６】
１…バレル、２…針、３…キャップ、４…バレル、５…バレル、８…プランジャ、１２…針固定部、１２ａ…溶着部、３０…キャップ、４２…針固定部、４２ａ…溶着部、５２…針固定部、５２ａ…溶着部、８１…ガスケット、８２…プランジャロッド、５２２…支持部、Ｘ…充填物
【図１】
0005912300.tif 000002
【図２】
0005912300.tif 000003
【図３】
0005912300.tif 000004
【図４】
0005912300.tif 000005
【図５】
0005912300.tif 000006
【図６】
0005912300.tif 000007
【図７】
0005912300.tif 000008